(57)【特許請求の範囲】
【請求項１】
表示物を装着する回転体と、回転体を回転駆動する回転駆動機構を備え、
回転駆動機構が、駆動源であるモータと、モータの出力軸に設けたウオームと、ウオームに係合する樹脂製平歯車であるウオームホイールと、回転体と連結してウオームホイールに連動する出力歯車と、出力歯車の回転位置を検出する位置検出手段と、位置検出手段の検出信号に基づいてモータを制御するモータ制御手段を備えており、
モータが、ウオーム及びウオームホイールの互いの歯筋が平行状態を成すように傾斜して配置してあり、
位置検出手段が、出力歯車の円周方向に沿って形成したカムと、カムに摺動接触する接触子を入力部とするスイッチを備えると共に、カムが、出力歯車の回転に伴って任意の回転位置でスイッチの接触子を切換え操作する形態を成していることを特徴とする回転表示装置。
【請求項２】
回転体に装着する表示物が筒状であると共に、出力歯車及び回転体の中央を貫通して表示物の軸線上に回転不能に配置される芯材を備えたことを特徴とする請求項１に記載の回転表示装置。
【請求項３】
複数の回転体を一列に配置したことを特徴とする請求項２に記載の回転表示装置。
【発明の詳細な説明】
【技術分野】
【０００１】
本発明は、例えば宣伝広告用の各種表示物を回転させながら表示する回転表示装置に関するものである。
【背景技術】
【０００２】
従来の回転表示装置としては、例えば特許文献１に記載されている広告看板がある。特許文献１の広告看板は、複数の回転可能な多面柱体を排列して成るものであって、各多面柱体の回転軸に設けたウオームホイールと、各ウオームホイールに係合するウオームシャフトを備えており、ウオームシャフトを回転駆動することで、各多面柱体を同期回転させる構造になっている。この広告看板は、各多面柱体に平面広告の一部を夫々設けて、全ての多面柱体により一つの平面広告を形成し、例えば三角柱の多面柱体を用いた場合には、これらを回転させることにより三つの平面広告を形成することができる。
【先行技術文献】
【特許文献】
【０００３】
【特許文献１】実用新案登録第３１１００２１号公報
【発明の概要】
【発明が解決しようとする課題】
【０００４】
ところが、上記したような従来の広告看板は、一つの看板上に複数の平面広告を形成することから、空間の節約効果があり、広告費の面で経済的価値の高いものとなるのであるが、比較的大型の看板に適しているので、例えば、店内等において手軽に設置し得るＰＯＰ用品としては、製造コストが高くなるという問題点があった。
【０００５】
本発明は、上記従来の状況に鑑みて成されたもので、駆動部分の高い信頼性を有すると共に、製造コストの低減を実現することができ、ＰＯＰ用品として非常に好適な回転表示装置を提供することを目的としている。
【課題を解決するための手段】
【０００６】
本発明の回転表示装置は、表示物を装着する回転体と、回転体を回転駆動する回転駆動機構を備え、回転駆動機構が、駆動源であるモータと、モータの出力軸に設けたウオームと、ウオームに係合する樹脂製平歯車であるウオームホイールと、回転体と連結してウオームホイールに連動する出力歯車と、出力歯車の回転位置を検出する位置検出手段と、位置検出手段の検出信号に基づいてモータを制御するモータ制御手段を備えており、モータが、ウオーム及びウオームホイールの互いの歯筋が平行状態を成すように傾斜して配置してあり、位置検出手段が、出力歯車の円周方向に沿って形成したカムと、カムに摺動接触する接触子を入力部とするスイッチを備えると共に、カムが、出力歯車の回転に伴って任意の回転位置でスイッチの接触子を切換え操作する形態を成している構成としており、上記構成をもって従来の課題を解決するための手段としている。
【０００７】
本発明の回転表示装置は、回転体に表示物を装着した状態にして、モータの駆動力をウオーム、ウオームホイール及び出力歯車を介して回転体に伝達し、回転体とともに表示物を回転させる。このとき、回転表示装置は、位置検出手段により出力歯車の回転位置を検出し、モータ制御手段により回転位置の検出信号に基づいてモータを制御することで、回転体及び表示物を間欠的に回転させることが可能である。
【０００８】
また、本発明の回転表示装置は、より好ましい実施形態として、回転体に装着する表示物が筒状であると共に、出力歯車及び回転体の中央を貫通して表示物の軸線上に回転不能に配置される芯材を備えたことを特徴とし、さらに、複数の回転体を一列に配置したことを特徴としている。
【発明の効果】
【０００９】
本発明の回転表示装置は、上記構成を採用したことにより、ウオーム及びウオームホイールによる回転伝達部分において、耐久性や静粛性が向上し、しかも、ウオームホイールや、カムを有する出力歯車を射出成形等により容易に製造し得る。これにより、回転表示装置は、駆動部分の高い信頼性を有すると共に、製造コストの低減を実現することができ、店内等において手軽に設置できるＰＯＰ用品としても非常に好適なものとなる。
【００１０】
また、本発明の回転表示装置は、筒状の表示物や回転不能な芯材を採用したことで、上記の効果に加えて、表示物の長さの変更等に対処することが容易になり、しかも、有線により電源供給を受ける照明類を芯材に設けることが可能であって、ＰＯＰ用品としての表示機能をさらに向上させることができる。
【００１１】
さらに、本発明の回転表示装置は、複数の回転体を一列に配置することで、上記の効果に加えて、例えば、全体で一つの平面広告を形成して各回転体を同期回転させたり、各回転体の回転を個別に制御したりすることができ、表示形態のバリエーションを増すことができる。
【図面の簡単な説明】
【００１２】
【図１】本発明の回転表示装置の一実施形態を説明する分解斜視図である。
【図２】図１に示す回転表示装置を組立て状態で説明する斜視図である。
【図３】モータのウオームとウオームホイールとの関係を示す説明図である。
【図４】出力歯車、カム、スイッチ及び表示物の互いの位置関係を示す各々説明図（Ａ）〜（Ｄ）である。
【図５】本発明の回転表示装置の他の実施形態を説明する平面断面図（Ａ）及び正面図（Ｂ）である。
【図６】本発明の回転表示装置のさらに他の実施形態の三例を説明する各々斜視図（Ａ）〜（Ｃ）である。
【発明を実施するための形態】
【００１３】
以下、図面に基づいて、本発明の回転表示装置の一実施形態を説明する。
図１及び図２に示す回転表示装置Ａ１は、表示物Ｅ１を装着する回転体１と、回転体１を回転駆動する回転駆動機構を備えている。図示例の表示物Ｅ１は、断面三角形の筒状（三角柱状）を成しており、三つの側面に、宣伝広告、絵図及び写真などを夫々表示することができる。
【００１４】
回転駆動機構は、駆動源であるモータ２と、モータ２の出力軸２Ａに設けたウオーム３と、ウオーム３に係合する樹脂製平歯車であるウオームホイール４と、回転体１と連結してウオームホイール４に連動する出力歯車５と、出力歯車５の回転位置を検出する位置検出手段と、位置検出手段の検出信号に基づいてモータ２を制御するモータ制御手段（制御回路）６を備えている。
【００１５】
より具体的には、回転駆動機構は、上段ケース７と、下段ケース８と、上部カバー９を備えている。両ケース７，８は、いずれも上側に開放されたもので、上下に積層した状態にして、上段ケース７の開放部分を上部カバー９で閉塞する。なお、図２中に仮想線で示すように、下段ケース８の外側を被う下部カバー１０を設けて、この下部カバー１０を台座にすることができる。また、下段ケース８の側部壁を下方に延長して、自立用のリブを形成しても良い。
【００１６】
上段ケース７の内部には、出力歯車５、同ケース７内に出力歯車５を回転可能に装着するための歯車ホルダ１１が配置してある。前記回転体１は、上段ケース７を閉塞した上部カバー９の上側に配置される。他方、下段ケース８の内部には、ウオーム３を設けたモータ２、ウオームホイール４、モータ制御手段６を配置した回路基板１２及びコネクタ１３が配置してある。コネクタ１３には、図示しない外部電源を接続する。
【００１７】
前記モータ２は、図３に示すように、ウオーム３及びウオームホイール４の互いの歯筋が平行状態を成すように傾斜して配置してある。ウオーム３は、歯筋が、所定のねじれ角を有する螺旋状を成している。ウオームホイール４は、先述の如く樹脂製平歯車であり、下段ケース８内において、歯筋が垂直方向となるように保持されている。
【００１８】
そこで、回転表示装置Ａ１では、出力軸２Ａの先端が下がるように、ウオーム３のねじれ角に対応する角度だけモータ２を傾斜させて配置し、これにより、ウオーム３及びウオームホイール４の互いの歯筋を平行状態にしている。なお、ウオーム３の歯筋は螺旋状であるから、双方の歯筋は厳密には平行ではなく、概ね平行の状態である。
【００１９】
また、図示例のウオームホイール４は、上段ケース７の底壁を貫通する伝達シャフト１４の下部に固定してあり、上段ケース７内となる伝達シャフト１４の上部には、出力歯車５に係合する伝達歯車１５が固定してある。つまり、この実施形態では、モータ２の駆動力が、ウオーム３、ウオームホイール４、伝達シャフト１４、伝達歯車１５及び出力歯車５を介して、回転体１に伝達されることとなる。
【００２０】
とくにＰＯＰ用品に用いる回転表示装置Ａ１では、表示物Ｅ１を高速で回転させる必要はないので、ウオーム３とウオームホイール４とを用いることにより、必要最小限の歯車構成で適切な回転速度となる減速比を得ることができ、しかも、停止時には、ウオーム３によってウオームホイール４の回転が拘束されるので、表示物Ｅ１を定位置に維持することができる。
【００２１】
前記出力歯車５は、中央孔５Ａを有し、上面側に、中央孔５Ａを挟んで一対の係止爪５Ｂ，５Ｂを有すると共に、下面側に、位置検出手段を構成するカム１６が一体成形してある。また、上部カバー９及び回転体１にも中央孔９Ａ，１Ａが夫々形成してあり、回転体１の中央孔１Ａには、出力歯車５の係止爪５Ｂ，５Ｂに対応する一対の係止部１Ｂ，１Ｂが形成してある。さらに、歯車ホルダ１１には、後記する芯材（１８）の取付孔１１Ａが設けてある。
【００２２】
上記の出力歯車５は、中央孔５Ａに上側から歯車ホルダ１１を貫通させ、この歯車ホルダ１１の下端部を上段ケース７の底壁に固定することにより、出力歯車５を回転可能に保持する。また、出力歯車５は、上段ケース７を上部カバー９で閉塞した状態において、上部カバー９の中央孔９Ａから係止爪５Ｂ，５Ｂが突出し、この係止爪５Ｂ，５Ｂを回転体１の係止部１Ｂ，１Ｂに係止することで、図２に示す如く回転体１と連結する。
【００２３】
前記位置検出手段は、出力歯車５の円周方向に沿って形成したカム１６と、カム１６に摺動接触する接触子１７Ａを入力部とするスイッチ１７を備えている。カム１６は、出力歯車５に一体成形してあって、図４に示すように、出力歯車５の回転に伴って任意の回転位置でスイッチ１７の接触子１７Ａを切換え操作する形態を成している。
【００２４】
スイッチ１７は、上段ケース７に形成した収納部７Ａに下側から装着され、収納部７Ａから接触子１７Ａを延出させて、その接触子１７Ａをカム１６に対して弾性的に摺動接触させる。接触子１７Ａは、カム１６との摺動接触を円滑にするために、カム１６と接触する先端部分が円弧状に形成してある。
【００２５】
この実施形態のカム１６は、表示物Ｅ１が三角柱状であることから、円周方向に三分割したものとなっていて、図４（Ａ）中に矢印で示す反時計回りの回転方向において、各円周部１６Ａの回転前方端及び回転後方端に、中心側に向けた傾斜部１６Ｂ，１６Ｃを連続的に有している。図４（Ａ）〜（Ｄ）は、出力歯車５及び表示物Ｅ１を底面側から見た説明図である。図４において、出力歯車５及び表示物Ｅ１は、同じ方向に回転する。
【００２６】
図４（Ａ）に示すカム１６は、各円周部１６Ａの回転後方端（Ｐ１〜Ｐ３で示す位置）が互いに１２０度間隔になる配置である。そして、図４（Ａ）中で右下の円周部１６Ａの長さが、他の二つの円周部に比べて短くなっていると共に、この短い円周部１６Ａの回転前方端とこれに隣接する円周部１６Ｂの回転後方端（Ｐ１）との隙間が、他の二箇所の隙間に比べて大きくなっている。
【００２７】
さらに、カム１６は、円周部１６Ａの回転後方端の位置（Ｐ１〜Ｐ３）が、出力歯車５に装着した三角柱状の表示物Ｅ１の各面（Ａ面〜Ｃ面）の位置に対応している。すなわち、図４の下側を正面とした場合、図４（Ａ）に示す如くスイッチ１７の接触子１７Ａが円周部１６の回転後方端（Ｐ１）に達して、最も大きい隙間に入ると、図４（Ｂ）に示す如く表示物Ｅ１のＡ面が正面となる。また、出力歯車５がさらに回転して、スイッチ１７の接触子１７Ａが次の隙間に入ると、図４（Ｃ）に示す如く表示物Ｅ１のＢ面が正面となり、その次には、図４（Ｄ）に示す如く表示物Ｅ１のＣ面が正面となる。
【００２８】
また、回転表示装置Ａ１は、先述の如く回転体１に装着する表示物Ｅ１が、筒状すなわち中空体であって、図２に示すように、出力歯車５、上部カバー９及び回転体１の各中央孔５Ａ，９Ａ，１Ａを貫通して表示物Ｅ１の軸線上に回転不能に配置される芯材１８を備えている。この芯材１８は、例えばアルミニウム製の軽量なチャンネル材であって、前記歯車ホルダ１１の取付孔１１Ａに、下端部を嵌合固定すると共に、上端部には、表示物Ｅ１の上面部を回転可能に保持するプレート１９が設けてある。
【００２９】
上記の回転表示装置Ａ１は、樹脂製平歯車から成るウオームホイール４以外に、カム１６を有する出力歯車５、上段及び下段のケース７，８、上部及び下部のカバー９，１０、歯車ホルダ１１、回路基板１２及び伝達歯車１５をいずれも樹脂製にすることができ、これらを射出成形等により大量製造することが可能である。このように、各構成部材を樹脂製にすれば、製造や組み立てが容易になって低コスト化が可能であり、とくに、出力歯車５や伝達歯車１５をもウオームホイール４と同様の樹脂製平歯車にすれば、製造コストのさらなる低減に貢献することができる。
【００３０】
上記構成を備えた回転表示装置Ａ１は、外部電源によりモータ２を駆動すると、回転体１及び表示物Ｅ１が回転する一方で、出力歯車５とともに回転するカム１６の円周部１６Ａに接触子１７Ａが摺動接触して、スイッチ１７がオン状態（又はオフ状態）になる。このとき、スイッチ１７は、モータ２に対する電源を直接的にオン・オフするのではなく、モータ制御手段６に対してオン又はオフの信号を出力する。
【００３１】
次いで、図４（Ａ）に示すように、スイッチ１７の接触子１７Ａがカム１６の回転後方端に達すると、円周部１６Ａから接触子１７Ａが外れてスイッチ１７がオフ状態（又はオン状態）になり、モータ２が停止する。そして、所定時間経過後、モータ２を再駆動させると、接触子１７が次のカム１６の傾斜部１６Ｂに案内されて円周部１６Ａに至り、スイッチ１７が再びオン状態（又はオフ状態）になる。以下、同様の動作を繰り返し行う。
【００３２】
このようにして、回転表示装置Ａ１は、カム１６及びスイッチ１７により構成した位置検出手段により出力歯車５の回転位置を検出し、モータ制御手段６により回転位置の検出信号に基づいてモータ２を制御することで、出力歯車５、回転体１及び表示物Ｅ１が１２０度間隔で回転停止を繰り返すこととなる。
【００３３】
上記実施形態で説明した回転表示装置Ａ１は、とくに、ウオーム３及びウオームホイール４を互いに歯筋を平行状態にして係合させているので、動力の伝達効率が向上するうえに、回転伝達部分における耐久性や静粛性が向上し、しかも、ウオームホイール４や、カム１６を有する出力歯車５を射出成形等により容易に製造し得る。これにより、回転表示装置Ａ１は、駆動部分の高い信頼性を有すると共に、製造コストの低減を実現することができ、店内等において手軽に設置できるＰＯＰ用品としても非常に好適なものとなる。
【００３４】
また、回転表示装置Ａ１は、筒状の表示物Ｅ１や回転不能な芯材１８を採用したので、簡単な構造であるうえに、表示物Ｅ１の長さの変更等に対処することが容易であり、しかも、図２中に仮想線で示すように、有線により電源供給を受けるＬＥＤ等の照明２０を芯材１８に設けることが可能である。これにより、少なくとも一部に透光性を有する表示物Ｅ１を採用すれば、あたかも表示物Ｅ１が発光する表示形態が得られ、ＰＯＰ用品としての表示機能をさらに向上させることができる。
【００３５】
さらに、上記実施形態の回転表示装置Ａ１では、カム１６において、三つの円周部１６Ａのうちの一つを短くすると共に、その短い円周部１６Ａの回転前方端側の隙間を大きくしているので、スイッチ１７がオン状態及びオフ状態となる夫々の時間に基づいて、出力歯車５の回転位置すなわち表示物Ｅ１の回転位置を特定することが可能である。
【００３６】
つまり、図４（Ａ）の状態から出力歯車５を再駆動すると、隙間が大きい部分では、接触子１７Ａが次の円周部１６Ａに接触するまでの時間、すなわちスイッチ１７がオン（又はオフ）になるまでの時間が、他の二箇所よりも長くなる。したがって、再駆動からスイッチ１７がオン（又はオフ）になるまでの時間を監視していれば、出力歯車５の回転位置を特定することができる。これらのデータの記憶や判断は、モータ制御手段６で行うことができる。これにより、モータ２の制御がより容易になる。
【００３７】
図５は、本発明の回転表示装置の他の実施形態を説明する図である。なお、先の実施形態と同様の構成部位は、同一符号を付して詳細な説明を省略する。
【００３８】
図示の回転表示装置Ａ２は、回転駆動機構を収容したケース３０の上面に、複数（図示例では３個）の回転体１を一列に配置した構成を有し、各回転体１に、三角柱状の表示物Ｅ１が装着してある。また、回転表示装置Ａ２は、その前面に、３つの窓部３１Ａを配列したボード２１を備え、各窓部３１Ａに表示物Ｅ１の一面が現れるようにしてある。
【００３９】
回転駆動機構は、各回転体１に対して個別に設けることも可能であるし、電源やモータ制御手段などを共通の部品とすることも可能である。例えば、各回転体１を同期回転させる制御方式であれば、夫々に共通する回転伝達機構を採用しても良い。
【００４０】
上記の回転表示装置Ａ２は、先の実施形態と同様の作用及び効果を得ることができるほか、例えば、各表示物Ｅ１の一面に平面広告の一部を設けて、全表示物Ｅ１で一つの平面広告を形成することができ、この実施形態の場合には、３つの平面広告を形成することができる。
【００４１】
また、回転表示装置Ａ２は、図４に示す位置検出手段すなわち出力歯車５の回転位置を特定できるカム１６およびスイッチ１７から成る位置検出手段と、図１に示すモータ制御手段６を用いることにより、各表示物Ｅ１を個別に又は一斉に回転させたり、間欠的又は連続的に回転させたり、順番に又は順不同に回転させたり、各表示物Ｅ１のランダムな回転動作を次第に同期させたりするような様々なプログラムの入力及びモータ２の制御が可能であり、表示形態のバリエーションをより一層増すことができる。
【００４２】
図６は、本発明の回転表示装置のさらに他の実施形態を説明する図である。
図６（Ａ）に示す回転表示装置Ａ３は、四角柱状の表示物Ｅ２を備えたものであり、図６（Ｂ）に示す回転表示装置Ａ４は、円柱状の表示物Ｅ３を備えたものである。また、図６（Ｃ）に示す回転表示装置Ａ５は、回転テーブル３２を備えたものであって、この場合には、先の実施形態のような筒状（柱状）の表示物だけでなく、商品サンプルなどの各種表示物を表示することが可能である。
【００４３】
なお、上記の各実施形態では、表示物が垂直軸回りに回転する場合を説明したが、当該装置を横置きにして表示物を水平軸回りに回転させることも可能であり、この場合には、図２に示す回転不能の芯材１８で表示物の先端を回転自在に保持することが可能である。
【００４４】
また、出力歯車の回転位置を検出する位置検出手段としては、光学式のセンサ類を用いることも可能である。ただし、上記実施形態のように、出力歯車５に一体成形されるカム１５を用いた機械式の手段にすれば、動作の信頼性が高いうえに、部品点数が少なくなって組み立て作業も容易になり、製造コストも安価であるなどの利点がある。さらに、カムは、例えば四角柱状の表示物の場合には、四分割した形態とすることができ、このほか、スイッチをオン・オフするための凹凸形状等の構成を適宜変更することができる。
【００４５】
本発明の回転表示装置は、その構成が上記各実施形態に限定されるものではなく、本発明の要旨を逸脱しない範囲で構成の細部を適宜変更することが可能である。
【符号の説明】
【００４６】
Ａ１〜Ａ５  回転表示装置
Ｅ１〜Ｅ３  表示物
１          回転体
２          モータ
２Ａ        出力軸
３          ウオーム
４          ウオームホイール
５          出力歯車
６          モータ制御手段
１６        カム
１７        スイッチ
１７Ａ      接触子
１８        芯材
【図１】
0005771128.tif 000002
【図２】
0005771128.tif 000003
【図３】
0005771128.tif 000004
【図４】
0005771128.tif 000005
【図５】
0005771128.tif 000006
【図６】
0005771128.tif 000007